【手続補正書】
【提出日】平成26年7月25日(2014.7.25)
【手続補正１】
【補正対象書類名】特許請求の範囲
【補正対象項目名】全文
【補正方法】変更
【補正の内容】
【特許請求の範囲】
【請求項１】
蒸気タービンシステム（１００）であって、当該蒸気タービンシステム（１００）が、
中圧（ＩＰ）タービン（１０２）及び低圧（ＬＰ）タービン（１０３）に動作可能に結合した高圧（ＨＰ）タービン（１０１）と、
ＨＰタービン、ＩＰタービン及びＬＰタービンのうちの少なくともいずれかにおける作動蒸気流と、
ＨＰタービン及びＩＰタービンのうちの少なくとも１つに近接した圧力パッキンからのリークオフ経路（２０１，２０２，２０３）であって、該リークオフ経路を流れるリークオフ蒸気が前記蒸気タービンシステム内の作動蒸気流と流体連通しているリークオフ経路（２０１，２０２，２０３）と、
前記ＨＰタービン及びＩＰタービン上でシール蒸気ヘッダ（ＳＳＨ）（１３０）と流体接続した圧力パッキン（１２３，１２５）の少なくとも１つからの複数の蒸気シールライン（１１４，１１７，１２２，１２６）であって、前記ＳＳＨが、前記ＬＰタービン上の真空パッキンと流体接続し、前記ＬＰタービンのシールパッキン上で一定の自続シール圧力を維持するように構成されている、蒸気シールライン（１１４，１１７，１２２，１２６）と、
シール蒸気流を制限する手段であって、ＨＰタービンシールパッキンとＳＳＨ（１３０）との間、並びにＩＰタービンシールパッキンとＳＳＨ（１３０）との間の蒸気シールラインの少なくとも１つに動作可能に接続したシール蒸気流を制限する手段と、
前記シール蒸気流を制限する手段に動作可能に接続され、且つ前記蒸気シールヘッダからの過剰なシール蒸気を遮断するように構成されたコントローラ（１４０）と
を備えていて、
前記シール蒸気流を制限する手段が、ＨＰ入口側、ＨＰ出口側、ＩＰ入口側、ＩＰ出口側及びＬＰ入口側からの一連の遮断シール蒸気流に応じた前記蒸気シールヘッダ（１３０）に対する圧力に応じて前記コントローラにより作動される、蒸気タービンシステム（１００）。
【請求項２】
前記作動蒸気流が、ＨＰ排気蒸気ライン（１４８）の少なくとも１つへの蒸気流と、前記ＨＰタービンのシェル段内の蒸気流とを含む、請求項１記載の蒸気タービンシステム（１００）。
【請求項３】
前記作動蒸気流が、前記ＩＰタービン（１０２）と前記ＬＰタービン（１０３）との間の垂直ジョイントにおける蒸気流と、前記ＬＰタービン（１０３）の蒸気流入管内の蒸気流との少なくとも１つを含む、請求項１記載の蒸気タービンシステム（１００）。
【請求項４】
前記ＨＰタービン及び前記ＩＰタービンの少なくとも１つに近接した圧力パッキンからのリークオフ経路が、前記ＨＰタービン入口蒸気側に圧力パッキンと、前記ＨＰタービン出口蒸気側に圧力パッキンと、前記ＩＰタービン入口蒸気側に圧力パッキンとを含んでおり、これらの圧力パッキンがシール蒸気ヘッダと流体接続している、請求項１乃至請求項３のいずれか１項記載の蒸気タービンシステム（１００）。
【請求項５】
前記シール蒸気流を制限する手段が、停止弁（１５１，１５２，１５３）をオリフィスと平行に含む、請求項１乃至請求項４のいずれか１項記載の蒸気タービンシステム（１００）。
【請求項６】
前記シール蒸気流を制限する手段が、絞り弁（１５１，１５２，１５３）含む、請求項１乃至請求項４のいずれか１項記載の蒸気タービンシステム（１００）。
【請求項７】
タービン負荷信号を含むタービン制御システム（１４０）を更に備え、前記シール蒸気流を制限する手段が、前記タービンコントローラからのタービン負荷信号に応じてコントローラにより作動される、請求項１乃至請求項６のいずれか１項記載の蒸気タービンシステム（１００）。
【請求項８】
低圧（ＬＰ）タービン（１０３）に動作可能に結合した少なくとも第１の蒸気タービンを備えていて、所定のシステム負荷レベルで自己シールになる蒸気タービンシステム（１００）であって、当該蒸気タービンシステムが、さらに、中圧（ＩＰ）タービン（１０２）及び低圧（ＬＰ）タービン（１０３）に動作可能に結合した高圧（ＨＰ）タービン（１０１）を備えているとともに、
前記少なくとも１つの第１の蒸気タービン及びＬＰタービン内の作動蒸気流と、
そこを通って流れるリークオフ蒸気が前記蒸気タービンシステム（１００）内の作動蒸気流に流体連通し、少なくとも１つの蒸気タービンに近接した圧力パッキンからのリークオフ経路（２０１，２０２，２０３）と、
前記少なくとも１つの蒸気タービン上でシール蒸気ヘッダ（ＳＳＨ）（１３０）と流体接続した圧力パッキンからの少なくとも１つの蒸気シールライン（１１４，１１７，１２２，１２６）であって、前記ＳＳＨ（１３０）が、前記ＬＰタービン上の真空パッキンと流体接続し、前記ＬＰタービンのシールパッキン上で一定の自続シール圧力を維持するように適合されている、蒸気シールライン（１１４，１１７，１２２，１２６）と、
前記少なくとも１つの蒸気タービンと前記ＳＳＨ（１３０）との間の蒸気シールラインの少なくとも１つに動作可能に接続した少なくとも１つのシール蒸気流制限手段と、
前記タービンシステムのシール蒸気流状態に応答し、且つ前記少なくとも１つのシール蒸気流制限手段を始動させるコントローラと
を備えていて、
前記シール蒸気流を制限する手段が、ＨＰ入口側、ＨＰ出口側、ＩＰ入口側、ＩＰ出口側及びＬＰ入口側からの一連の遮断シール蒸気流に応じた前記蒸気シールヘッダ（１３０）に対する圧力に応じて前記コントローラにより作動される、蒸気タービンシステム（１００）。
【請求項９】
前記シール蒸気流制限手段が少なくとも１つのオリフィス（１４５，１４６，１４７）を含む、請求項８記載の蒸気タービンシステム。
【請求項１０】
前記シール蒸気流制限手段が少なくとも１つの遮断弁（１５１，１５２，１５３）を含む、請求項８記載の蒸気タービンシステム。
【請求項１１】
前記シール蒸気流制限手段が、絞り弁（１５１，１５２，１５３）含む、請求項８記載の蒸気タービンシステム。
【請求項１２】
前記コントローラが、前記ＳＳＨ（１３０）の圧力に応じて前記シール蒸気流制限手段を作動させる、請求項８記載の蒸気タービンシステム。
【請求項１３】
蒸気タービンシステム（１００）を作動させる方法であって、
中圧（ＩＰ）タービン（１０２）及び低圧（ＬＰ）タービン（１０３）に動作可能に結合した高圧（ＨＰ）タービン（１０１）と、前記タービンシステム内の作動蒸気流に前記ＨＰタービン（１０１）の圧力パッキン及び前記ＩＰタービン（１０２）の圧力パッキンのうちの少なくとも１つを結合するリークオフライン（２０１，２０２，２０３）とを用意する段階と、
補助蒸気供給源からの蒸気シールフィード弁と、蒸気シンクへの蒸気シールダンプ弁（１５１，１５２，１５３）とを含む蒸気シールヘッダ（ＳＳＨ）（１３０）への流体接続を通して、前記ＨＰタービン（１０１）、前記ＩＰタービン（１０２）及び前記ＬＰタービン（１０３）に対して一定の自続シール圧力を維持する段階と、
前記蒸気タービンシステムにおける自己シール状態下で前記ＨＰタービン（１０１）及び前記ＩＰタービン（１０２）の少なくとも１つから前記ＳＳＨ（１３０）へのシール蒸気流を制限する段階と、
ＨＰ入口側、ＨＰ出口側、ＩＰ入口側、ＩＰ出口側及びＬＰ入口側からの一連の遮断シール蒸気流を制御することによって、蒸気タービンシステム（１００）の自己シール状態下で前記ＨＰタービン（１０１）及び前記ＩＰタービン（１０２）の少なくとも１つから前記ＳＳＨ（１３０）への制限された過剰なシール蒸気を蒸気タービンシステムの作動蒸気流に有利に配向する段階と
を含む方法。
【請求項１４】
前記シール蒸気流を制限する段階が、オリフィス、阻止弁及び絞り弁（１５１，１５２，１５３）のうちの少なくとも１つによる前記ＳＳＨ（１３０）からの蒸気シール流を阻止する段階の少なくとも１つを含む、請求項１３記載の方法。
【請求項１５】
前記阻止段階が、コントローラ（１４０）からの信号送信により前記阻止弁及び前記絞り弁（１５１，１５２，１５３）のうちの少なくとも１つの位置を制御する段階を含む、請求項１４記載の方法。
【請求項１６】
前記制御段階が、
前記ＳＳＨ（１３０）上の自己シール状態を判定する段階と、
前記阻止弁及び前記絞り弁（１５１，１５２，１５３）のうちの少なくとも１つに対する位置を信号送信する段階と
を含む、請求項１５記載の方法。